(57)【要約】【課題】プリ発光前とプリ発光中との間に、被写体の明るさがプリ発光以外の要因により変化した場合であっても、その要因に影響を受けることなく、本発光による反射光の光量が多い領域を推定する。【解決手段】プリ発光前とプリ発光中に取得された測光情報に基づいてイルミネーション領域Ａ１１、Ａ２１の各色成分の輝度値の差（ｄＲ，ｄＧ，ｄＢ）が算出される。同様に人物領域Ａ１２、Ａ２２の各色成分の輝度値の差も算出される。イルミネーション領域と人物領域の第１の比ｄＲ／ｄＧと第２の比ｄＢ／ｄＧがそれぞれ算出され、算出結果がプリ発光の色成分の比から求められる下限値と上限値の範囲にあるか判定される。これにより人物領域がプリ発光による反射光の光量が多い反射領域と判定される。【選択図】図４
2015099257.tif 000002
【特許請求の範囲】
【請求項１】
被写体を撮影する前に前記被写体に向けて発光を行うプリ発光手段と、
前記被写体を複数の領域毎に分割した状態で、測光情報を取得する測光手段と、
撮影時に前記被写体に照明光を照射する照明手段と、
前記測光手段が取得した前記測光情報に基づいて前記照明手段の照明光の照射光量を演算する光量演算手段とを備え、
前記光量演算手段は、前記プリ発光手段が発光を行わないときに前記測光手段により取得される第１の測光情報と、前記プリ発光手段が発光中に前記測光手段により取得される第２の測光情報とにそれぞれ含まれる前記領域毎の各色成分の輝度情報に基づいて、前記領域毎の各色成分の輝度情報の変化量を算出して、前記各色成分の輝度情報の変化量が所定の範囲である領域を反射領域として特定し、前記反射領域が適正露光となるように前記照明手段の照射光量を演算することを特徴とする照明装置。
【請求項２】
前記所定の範囲は、前記プリ発光手段が行う発光における光の発色に応じて、色成分毎に設定されていることを特徴とする請求項１に記載の照明装置。
【請求項３】
前記所定の範囲は、色成分毎に設定されるとともに、上限値および下限値が設けられていることを特徴とする請求項１または２に記載の照明装置。
【請求項４】
前記光量演算手段は、前記反射領域が複数あるときは、前記反射領域における前記変化量の大きさ、および／または前記反射領域が有する面積の大きさに基づいて適正露光とする反射領域を決定して前記照射手段の照射光量を演算することを特徴とする請求項１から３のいずれかに記載の照明装置。
【請求項５】
前記光量演算手段は、前記変化量の大きい反射領域が適正露光となるように前記照射手段の照射光量を演算することを特徴とする請求項４に記載の照明装置。
【請求項６】
前記光量演算手段は、最大の面積を有する反射領域が適正露光となるように前記照射手段の照射光量を演算することを特徴とする請求項４に記載の照明装置。
【請求項７】
前記被写体における複数の領域の中から、前記測光手段が前記測光情報を取得する領域を測光領域として設定する測光領域設定手段をさらに備え、
前記光量演算手段は前記測光領域において前記反射領域を特定することを特徴とする請求項１から６のいずれかに記載の照明装置。
【請求項８】
前記光量演算手段は、前記反射領域を特定できないときは、最大光量での撮影となるように前記照射手段の照射光量を演算することを特徴とする請求項１から７のいずれかに記載の照明装置。
【請求項９】
前記輝度情報の色成分は、Ｒ／Ｇ／ＢまたはＹ／Ｍ／Ｃの組み合わせのいずれかを含むことを特徴とする請求項１から８のいずれかに記載の照明装置。
【請求項１０】
請求項１から９のいずれかに記載の照明装置を内蔵可能であるか、または外付け可能であることを特徴とする撮像装置。
【請求項１１】
可動ミラーが撮影光学系から撮像素子までの光路に配置され、前記可動ミラーが前記光路に配置された状態では、被写体像がファインダスクリーンに結像し、前記可動ミラーが前記光路から退避する状態では、被写体像が前記撮像素子に結像し、撮影データが取得され得る一眼レフの構成をさらに備え、
前記測光手段は、前記ファインダスクリーンに結像した被写体像から前記測光情報を取得することを特徴とする請求項１０に記載の撮像装置。
【請求項１２】
撮影光学系を介した被写体像が撮像素子に結像して撮影データの取得が可能であり、
前記測光手段は、前記撮影光学系とは異なる測光光学系を介した被写体像により前記測光情報を取得する位置に配置されていることを特徴とする請求項１０に記載の撮像装置。
【請求項１３】
被写体を撮影する前に前記被写体に向けて発光を行うプリ発光方法と、
前記被写体を複数の領域毎に分割した状態で、測光情報を取得する測光方法と、
撮影時に前記被写体に照明光を照射する照明方法と、
前記取得した測光情報に基づいて前記照明光の照射光量を演算する光量演算方法とを含み、
発光を行わないときに取得される第１の測光情報と、発光中に取得される第２の測光情報とにそれぞれ含まれる前記領域毎の各色成分の輝度情報に基づいて、前記領域毎の各色成分の輝度情報の変化量を算出して、前記各色成分の輝度情報の変化量が所定の範囲である領域を反射領域として特定し、前記反射領域が適正露光となるように前記照射光量を演算することを特徴とする照明方法。
【請求項１４】
被写体を撮影する前に前記被写体に向けて発光を行う発光手段と、
前記被写体を複数の領域毎に分割した状態で、測光情報を取得する測光手段とを備え、
前記発光手段が発光を行わないときに前記測光手段により取得される第１の測光情報と、前記発光手段が発光中に前記測光手段により取得される第２の測光情報とにそれぞれ含まれる前記領域毎の各色成分の輝度情報に基づいて、前記領域毎の各色成分の輝度情報の変化量を算出して、前記各色成分の輝度情報の変化量が所定の範囲である領域を反射領域として特定することを特徴とする反射領域判定装置。
【発明の詳細な説明】
【技術分野】
【０００１】
本発明はフラッシュの光量を決定するために被写体に発光する照明装置に関する。
【背景技術】
【０００２】
従来、プリ発光がフラッシュの本発光の光量を決定するために行われる。光量の決定の際、まず測光センサが、プリ発光前とプリ発光中とにおいて、被写体における各領域の測光情報を取得する。プリ発光前とプリ発光中とにおける測光情報を比較することにより、プリ発光による反射光の光量が多い領域が特定される。特定された領域は、本発光による反射光の光量が多い領域であると推定される。
【０００３】
しかし、上記のような技術では、例えば点滅するイルミネーションが被写体に含まれている場合に、適切な推定ができない問題が生じる。例えば、イルミネーションがプリ発光前に点灯しておらず、プリ発光中に点灯した場合に、イルミネーションの領域がプリ発光による反射光の光量が多い領域であると誤って判定される。このため本発光の光量が適切に決定されない。
【０００４】
一方、プリ発光による反射光の色とプリ発光の色とを比較して、プリ発光を正反射する領域を検出するカメラとして特許文献１に開示されたものが知られている。このカメラでは、プリ発光による反射光の色とプリ発光の色とが同等である領域は、プリ発光が正反射する異常な領域であると判定される。
【先行技術文献】
【特許文献】
【０００５】
【特許文献１】特開２００５−１３４４６８号公報
【発明の概要】
【発明が解決しようとする課題】
【０００６】
しかしながら、特許文献１に開示されたカメラを用いても、プリ発光による反射光の色は被写体毎に異なるため、正反射する領域以外の領域を検出できず、上記の問題を解決できない。
【０００７】
本発明は、プリ発光前とプリ発光中との間に、被写体の明るさがプリ発光以外の要因により変化した場合であっても、その要因に影響を受けることなく、プリ発光による反射光の光量が多い領域を判定する照明装置、撮像装置、照明方法および反射領域判定装置を提供することを目的としている。
【課題を解決するための手段】
【０００８】
本発明に係る照明装置は、被写体を撮影する前に被写体に向けて発光を行うプリ発光手段と、被写体を複数の領域毎に分割した状態で、測光情報を取得する測光手段と、撮影時に被写体に照明光を照射する照明手段と、測光手段が取得した測光情報に基づいて照明手段の照明光の照射光量を演算する光量演算手段とを備え、光量演算手段は、プリ発光手段が発光を行わないときに測光手段により取得される第１の測光情報と、プリ発光手段が発光中に測光手段により取得される第２の測光情報とにそれぞれ含まれる領域毎の各色成分の輝度情報に基づいて、領域毎の各色成分の輝度情報の変化量を算出して、各色成分の輝度情報の変化量が所定の範囲である領域を反射領域として特定し、反射領域が適正露光となるように照明手段の照射光量を演算することを特徴としている。
【０００９】
好ましくは、所定の範囲は、前記プリ発光手段が行う発光における光の発色に応じて、色成分毎に設定されている。また、好ましくは、所定の範囲は、色成分毎に設定されるとともに、上限値および下限値が設けられている。また、好ましくは、光量演算手段は、反射領域が複数あるときは、反射領域における変化量の大きさ、および／または反射領域が有する面積の大きさに基づいて適正露光とする反射領域を決定して照射手段の照射光量を演算する。
【００１０】
また、好ましくは、光量演算手段は、変化量の大きい反射領域が適正露光となるように照射手段の照射光量を演算する。また、好ましくは、光量演算手段は、最大の面積を有する反射領域が適正露光となるように照射手段の照射光量を演算する。また、好ましくは、被写体における複数の領域の中から、測光手段が測光情報を取得する領域を測光領域として設定する測光領域設定手段をさらに備え、光量演算手段は測光領域において反射領域を特定する。また、好ましくは、光量演算手段は、反射領域を特定できないときは、最大光量での撮影となるように照射手段の照射光量を演算する。
【００１１】
また、好ましくは、輝度情報の色は、Ｒ／Ｇ／ＢまたはＹ／Ｍ／Ｃの組み合わせのいずれかを含む。
【００１２】
また本発明に係る撮像装置は、上述したいずれかの照明装置を内蔵可能であるか、または外付け可能であることを特徴としている。好ましくは、可動ミラーが撮影光学系から撮像素子までの光路に配置され、可動ミラーが光路に配置された状態では、被写体像がファインダスクリーンに結像し、可動ミラーが光路から退避する状態では、被写体像が撮像素子に結像し、撮影データが取得され得る一眼レフの構成をさらに備え、測光手段は、ファインダスクリーンに結像した被写体像から測光情報を取得する。
【００１３】
また、好ましくは、撮影光学系を介した被写体像が撮像素子に結像して撮影データの取得が可能であり、測光手段は、撮影光学系とは異なる測光光学系を介した被写体像により測光情報を取得する位置に配置されている。
【００１４】
また本発明に係る照明方法は、被写体を撮影する前に被写体に向けて発光を行うプリ発光方法と、被写体を複数の領域毎に分割した状態で、測光情報を取得する測光方法と、撮影時に被写体に照明光を照射する照明方法と、取得した測光情報に基づいて照明光の照射光量を演算する光量演算方法とを含み、発光を行わないときに取得される第１の測光情報と、発光中に取得される第２の測光情報とにそれぞれ含まれる領域毎の各色成分の輝度情報に基づいて、領域毎の各色成分の輝度情報の変化量を算出して、各色成分の輝度情報の変化量が所定の範囲である領域を反射領域として特定し、反射領域が適正露光となるように照射光量を演算することを特徴としている。
【００１５】
また本発明に係る反射領域判定装置は、被写体を撮影する前に被写体に向けて発光を行う発光手段と、被写体を複数の領域毎に分割した状態で、測光情報を取得する測光手段とを備え、発光手段が発光を行わないときに測光手段により取得される第１の測光情報と、発光手段が発光中に測光手段により取得される第２の測光情報とにそれぞれ含まれる領域毎の各色成分の輝度情報に基づいて、領域毎の各色成分の輝度情報の変化量を算出して、各色成分の輝度情報の変化量が所定の範囲である領域を反射領域として特定することを特徴としている。
【発明の効果】
【００１６】
本発明によれば、プリ発光前とプリ発光中との間に、被写体の明るさがプリ発光以外の要因により変化した場合であっても、その要因に影響を受けることなく、プリ発光による反射光の光量が多い領域を判定することが可能となる。
【図面の簡単な説明】
【００１７】
【図１】本発明の実施形態に係るデジタルカメラの構成を示す側面図である。
【図２】デジタルカメラのシステム構成図である。
【図３】図２のＣＰＵにおける光量調節処理を示す概念図である。
【図４】反射領域特定処理を説明するための一例を示す図である。
【図５】光量調節制御の動作を示すフローチャートである。
【図６】図４の例で本実施形態の反射領域特定処理を行わない場合のフラッシュ撮影画像を示す図である。
【図７】反射領域特定処理を説明するための別の例を示す図である。
【図８】図７における反射領域特定処理の続きを説明するための図である。
【図９】図７、８における反射領域特定処理の詳細を説明するための図である。
【図１０】図７の例で本実施形態の反射領域特定処理を行わない場合の反射領域の判定結果を示す図である。
【発明を実施するための形態】
【００１８】
以下、本発明の実施の形態を図面を参照して説明する。図１は撮影レンズを外した状態のカメラ１０の側面図である。カメラ１０は一眼レフカメラである。すなわちカメラ１０において、可動ミラーが撮影光学系から撮像素子までの光路に配置される。また可動ミラーが光路に配置された状態では、被写体像がファインダスクリーンに結像し、可動ミラーが前記光路から退避する状態では、被写体像が撮像素子に結像し、撮影データが取得され得る。また測光手段が、ファインダスクリーンに結像した被写体像から測光情報を取得する。また図１に示されるように、カメラボディの上面にはフラッシュ１１が設けられ、フラッシュ１１の下側にはフラッシュ１１をポップアップさせるためのフラッシュポップアップボタン１３が設けられる。
【００１９】
図２はデジタルカメラのシステム構成図を示す。測光センサ（測光手段）２１と撮像素子２３とＡＦセンサ２５は信号処理部３０に接続される。測光センサ２１は被写体の測光情報を取得し、ＡＦセンサ２５は被写体に合焦状態を示す情報を取得する。撮像素子２３は被写体の画像データを取得する。信号処理部３０はカメラ１０の各部位の機能を制御する。信号処理部３０にはＣＰＵ（光量演算手段）３１が設けられる。ＣＰＵ３１は、フラッシュ（プリ発光手段、照明手段）１１のプリ発光と本発光の制御情報を生成し、制御情報はフラッシュ１１に送られる。信号処理部３０には、ＬＣＤディスプレイ５１と操作部５２とモータドライバ５３とＳＤＲＡＭ５４が接続され、また、メモリカード５５が着脱可能に取り付けられる。
【００２０】
被写体を撮影する前に、ＣＰＵ３１からの制御信号によりフラッシュ１１は所定の光量によるプリ発光を被写体に向けて行う。測光センサ２１は、被写体の測光情報を取得する。取得された測光情報はＣＰＵ３１に送られ、ＣＰＵ３１において、フラッシュ撮影時に入力された測光情報に基づきフラッシュ１１の本発光の光量が決定される。決定された光量の制御情報がフラッシュ１１に送られ、この制御情報に基づいてフラッシュ１１は撮影時に本発光の光量調節を行いながら被写体に照明光を照射する。またＡＦセンサ２５により取得される合焦制御信号が信号処理部３０に入力される。撮影時には信号処理部３０はモータドライバ５３に駆動信号を入力し、この駆動信号に基づきモータドライバ５３は撮影光学系（図示せず）、メカシャッタ（図示せず）等を駆動する。これにより撮像素子２３は被写体の画像データを取得する。
【００２１】
撮像素子２３により取得された画像データは信号処理部３０に送られるとともに、ＳＤＲＡＭ５４にＲＡＷ形式で一時的に保存される。信号処理部３０はこのＲＡＷ形式の画像データをＪＰＥＧ形式等の画像データに圧縮することができる。ＬＣＤディスプレイ５１は信号処理部３０から出力される画像データに基づいて撮像画像を表示する。メモリカード５５は信号処理部３０から出力される画像データを保存する。操作部５２は、カメラボディに設けられるフラッシュポップアップボタン１３、レリーズボタン、撮影モード切替ダイアル等である。操作部５２を操作することにより発生する動作指示信号がＣＰＵ３１に入力される。
【００２２】
図３はＣＰＵ３１における本発光の光量を決定するための光量演算処理を示す概念図である。本実施形態において撮影はフラッシュ１１（図２参照）を発光させて行われる。輝度値変化量算出部１０１には撮影時にプリ発光する前の外光のみの状態で得られた第１の測光情報が入力される。測光センサ２１（図２参照）の受光面が７行１１列の７７個の領域に分割されており、測光情報は７７個の領域について得られる。測光センサ２１の各領域には、光電変換素子が設けられ、Ｒ（赤）成分、Ｇ（緑）成分、Ｂ（青）成分の各色成分の輝度値Ｒ１（ｘ，ｙ）、Ｇ１（ｘ，ｙ）、Ｂ１（ｘ，ｙ）（ｘ＝１，２，・・・１１，ｙ＝１，２，・・・７）が領域毎に取得される。すなわち測光情報は分割された領域毎の各色成分の輝度情報を含む。
【００２３】
また輝度値変化量算出部１０１には撮影時にプリ発光中に得られた第２の測光情報が入力される。第２の測光情報も第１の測光情報と同様に複数の領域に分割されており、各色成分の輝度値Ｒ２（ｘ，ｙ）、Ｇ２（ｘ，ｙ）、Ｂ２（ｘ，ｙ）が領域毎に取得される。輝度値変化量算出部１０１は、第１および第２の測光情報に基づき、領域毎の各色成分の輝度値の差ｄＲ（ｘ，ｙ）、ｄＧ（ｘ，ｙ）、ｄＢ（ｘ，ｙ）を算出する。ｄＲ（ｘ，ｙ）、ｄＧ（ｘ，ｙ）、ｄＢ（ｘ，ｙ）は以下の式（１）〜（３）により求められる。
ｄＲ（ｘ，ｙ）  ＝Ｒ２（ｘ，ｙ）−Ｒ１（ｘ，ｙ）                  （１）
ｄＧ（ｘ，ｙ）  ＝Ｇ２（ｘ，ｙ）−Ｇ１（ｘ，ｙ）                  （２）
ｄＢ（ｘ，ｙ）  ＝Ｂ２（ｘ，ｙ）−Ｂ１（ｘ，ｙ）                  （３）
【００２４】
領域毎の各色成分の輝度値の差ｄＲ（ｘ，ｙ）、ｄＧ（ｘ，ｙ）、ｄＢ（ｘ，ｙ）は反射領域判定部１０３に入力され、反射領域判定部１０３は領域毎の第１の比ｄＲ／ｄＧと第２の比ｄＢ／ｄＧを算出する。これは輝度値の変化量における各色成分の比がプリ発光の色成分の比と同等であるかを判断するためである。反射領域判定部１０３は領域毎に第１の比ｄＲ／ｄＧ、第２の比ｄＢ／ｄＧがプリ発光の色成分の比に近いかどうかを判定する。すなわち、プリ発光の色成分の比から求められるそれぞれの上限値と下限値の範囲にあるかどうかが判定される。また上限値と下限値は、フラッシュ１１が行う発光における光の発色に応じて、輝度値の変化量におけるいずれか一つの色成分といずれか他の色成分との比に対して設定されている。具体的には、ｍ１≦ｄＲ／ｄＧ≦Ｍ１、かつ、ｍ２≦ｄＢ／ｄＧ≦Ｍ２であるかどうかを判定する。
【００２５】
第１の比ｄＲ／ｄＧ、第２の比ｄＢ／ｄＧがそれぞれの上限値と下限値の範囲内である場合、反射領域判定部１０３は、その領域をプリ発光による反射光の光量が多い領域である反射領域であると判定する。すべての領域について反射領域かどうかの判定が完了すると、判定の結果が光量演算部１０５に入力される。反射領域が検出される場合、光量演算部１０５は反射領域が適正露光となる光量を演算する。すなわち光量演算部１０５は測光センサ２１（図２参照）が取得した測光情報に基づいてフラッシュ１１（図２参照）の照明光の照射光量を演算する。
【００２６】
反射領域を特定する処理を図４の例を用いて説明する。この例では、被写体には点滅するイルミネーションと人物とが含まれる。測光センサ２１（図２参照）によりプリ発光前に取得される第１の測光情報の概念図Ｐ１には、イルミネーション領域Ａ１１と人物領域Ａ１２が示される。イルミネーション領域Ａ１１の輝度値は（Ｒ１，Ｇ１，Ｂ１）＝（０，０，５０）である。また人物領域Ａ１２の輝度値は（Ｒ１，Ｇ１，Ｂ１）＝（１００，５０，０）である。これに対し、測光センサ２１によりプリ発光中に取得される第２の測光情報の概念図Ｐ２では、イルミネーション領域Ａ２１の輝度値も人物領域Ａ２２の輝度値もともに（Ｒ２，Ｇ２，Ｂ２）＝（２００，１５０，１００）である。なお本明細書において輝度値は２５６諧調であり、０〜２５５の数値で表される。
【００２７】
イルミネーション領域Ａ１１、Ａ２１の輝度値の差は（ｄＲ，ｄＧ，ｄＢ）＝（２００，１５０，５０）と算出される。これに対し人物領域Ａ１２、Ａ２２の輝度値の差は（ｄＲ，ｄＧ，ｄＢ）＝（１００，１００，１００）と算出される。プリ発光の色成分の比から求められる第１の比ｄＲ／ｄＧの下限値、上限値がそれぞれ、ｍ１＝０．８、Ｍ１＝１．２であり、第２の比ｄＢ／ｄＧの下限値、上限値がそれぞれ、ｍ２＝０．８、Ｍ２＝１．２とする。図４の例では、イルミネーション領域において、ｄＲ／ｄＧ＝２００／１５０＞１．２（＝上限値Ｍ１）、かつ、ｄＢ／ｄＧ＝５０／１５０（＜下限値ｍ２）であるため、イルミネーション領域は反射領域ではないと判定される。これに対し人物領域において（下限値ｍ１≦）ｄＲ／ｄＧ＝１（≦上限値Ｍ１）、かつ、（下限値ｍ２≦）ｄＢ／ｄＧ＝１（≦上限値Ｍ２）であるため、人物領域は反射領域であると判定される。
【００２８】
図５を参照して反射領域の判定処理を用いて本発光の光量を調節する光量調節制御について説明する。ステップＳ１において測光センサ２１（図２参照）はプリ発光前に第１の測光情報を取得する。また測光センサ２１はステップＳ２においてプリ発光中に第２の測光情報を取得する。ステップＳ３において輝度値変化量算出部１０１（図３参照）は第１および第２の測光情報に基づいて領域毎の各色成分の輝度値の変化量ｄＲ、ｄＧ、ｄＢを算出する。各色成分の輝度値の変化量に基づき、ステップＳ４において、反射領域判定部１０３（図３参照）は領域毎の第１の比ｄＲ／ｄＧと第２の比ｄＢ／ｄＧを算出する。次にステップＳ５において、第１の比ｄＲ／ｄＧが下限値ｍ１と上限値Ｍ１の範囲内にあり、かつ、第２の比ｄＢ／ｄＧが下限値ｍ２と上限値Ｍ２の範囲内にあるかどうかを反射領域判定部１０３は領域毎に判定する。ステップＳ６において、ステップＳ５の条件を満たす領域は反射領域であると反射領域判定部１０３により判定される。一方ステップＳ７において、ステップＳ５の条件を満たさない領域は反射領域ではないと判定される。
【００２９】
すべての領域についてステップＳ５の判定が完了すると、ステップＳ８において、光量演算部１０５（図３参照）は、反射領域判定部１０３から入力された情報に基づき反射領域が存在するかどうかを判定する。反射領域が存在すると判定された場合、すなわち反射領域が１つでも存在する場合、ステップＳ９において、光量演算部１０５は反射領域が適正露光になるように、周知の手法によりフラッシュ１１（図２参照）の本発光の光量を演算する。一方、反射領域が存在しないと判定された場合、ステップＳ１０において光量演算部１０５は周知の手法によりフラッシュ１１の本発光の光量をフル発光、すなわち最大光量に決定する。
【００３０】
このように本実施形態では、プリ発光前に取得された領域毎の各色成分の輝度値とプリ発光中に取得された領域毎の各色成分の輝度値との差を算出し、算出された差についての各色成分における輝度値の比である第１の比ｄＲ／ｄＧと第２の比ｄＢ／ｄＧを算出する。第１の比ｄＲ／ｄＧと第２の比ｄＢ／ｄＧが、それぞれプリ発光の色により求められる下限値と上限値の範囲内にある場合、プリ発光による反射光の光量が多い反射領域であると判定される。すなわち各色成分の輝度情報の変化量が所定の範囲である領域が反射領域として特定される。反射領域が存在する場合、反射領域に基づいて光量が演算され、反射領域が存在しない場合、フル発光が設定される。よって、プリ発光前とプリ発光中との間に、被写体の明るさがプリ発光以外の明るさの要因により変化した場合であっても、その明るさの要因の色がプリ発光の色に近似しない限り、その明るさの要因は反射領域の特定処理に影響を与えない。したがってプリ発光前とプリ発光中との間に、被写体の明るさがプリ発光以外の明るさの要因により変化した場合でも、本発光による反射光の光量が多い領域を推定することが可能となる。
【００３１】
これに対して、本実施形態の反射領域特定処理を行わない場合について図６を用いて説明する。この場合、図４の例におけるフラッシュ撮影時に撮像素子により取得される画像Ｐ３では、イルミネーション領域Ａ３１より人物領域Ａ３２の方が暗くなる。これはイルミネーション領域Ａ３１と人物領域Ａ３２が反射領域であると判定されたためである。このような判定が生じるのは、従来の反射領域特定処理では、プリ発光前とプリ発光中とにおける領域毎の各色成分の輝度値の差を算出しないためである。これに対し本実施形態では領域毎の各色成分の輝度値の差を算出するため、人物領域Ａ３２のみが反射領域であると判定され、人物領域Ａ３２が適切な明るさである画像が得られる。
【００３２】
反射領域を特定する処理を、さらに図７の例を用いて説明する。この例では、被写体には人物とライトアップされた物体とが含まれるが、第１の測光情報の取得と第２の測光情報の取得の間に手振れが生じたものと仮定する。測光センサ２１（図２参照）によりプリ発光前に取得される第１の測光情報の概念図Ｐ４には、ライトアップ物体領域Ａ４１と人物領域Ａ４２の他、空領域Ａ４３と地面領域Ａ４４が示される。ライトアップ物体領域Ａ４１、人物領域Ａ４２、空領域Ａ４３、地面領域Ａ４４の輝度値はそれぞれ、（Ｒ１，Ｇ１，Ｂ１）＝（２００，１５０，１００）、（１００，５０，０）、（０，０，０）、（１００，５０，２５）である。これに対し、図８に示されるように、測光センサ２１によりプリ発光中に取得される第２の測光情報の概念図Ｐ５では、ライトアップ物体領域Ａ５１、人物領域Ａ５２、空領域Ａ５３、地面領域５４の輝度値はそれぞれ、（Ｒ２，Ｇ２，Ｂ２）＝（２００，１５０，１００）、（２００，１５０，１００）、（０，０，０）、（１００，５０，２５）である。一方、概念図Ｐ４と概念図Ｐ５との間で、ライトアップ物体領域と人物領域が手振れにより右向きに変位している。
【００３３】
図７の例において、概念図Ｐ４と概念図Ｐ５との間の輝度値の差の算出について図９を用いて詳細に説明する。概念図Ｐ６は概念図Ｐ４（図７参照）と概念図Ｐ５（図８参照）を重ね合せたものである。ライトアップ物体領域と人物領域において、実線Ｌｃはプリ発光中の位置（概念図Ｐ５）を示し、破線Ｌｄはプリ発光前の位置（概念図Ｐ４）を示す。ライトアップ物体領域の輝度値の差は、図に示される５つの領域Ａ６０、Ａ６１、Ａ６２、Ａ６３、Ａ６４毎に算出される。５つの領域それぞれについて、（ｄＲ，ｄＧ，ｄＢ）＝（０，０，０）、（２００，１５０，１００）、（１００，１００，７５）、（−２００，−１５０，−１００）、（−１００，−１００，−７５）と算出される。これに対し、人物領域の輝度値の差も同様に、図に示される５つの領域Ａ６５、Ａ６６、Ａ６７、Ａ６８、Ａ６９毎に算出される。５つの領域それぞれについて、（ｄＲ，ｄＧ，ｄＢ）＝（１００，１００，１００）、（２００，１５０，１００）、（１００，１００，７５）、（−１００，−５０，０）、（０，０，２５）と算出される。
【００３４】
このため第１の比ｄＲ／ｄＧと第２の比ｄＢ／ｄＧのそれぞれの下限値、上限値が図４の例と同じ場合、５つの領域Ａ６０、Ａ６１、Ａ６２、Ａ６３、Ａ６４の第１の比ｄＲ／ｄＧと第２の比ｄＢ／ｄＧは、下限値から上限値の範囲に含まれない。これに対し、領域Ａ６５の第１の比ｄＲ／ｄＧと第２の比ｄＢ／ｄＧは、下限値と上限値の範囲に含まれる。このため人物領域のうち領域Ａ６５のみが反射領域であると判定される。
【００３５】
このように本実施形態によれば、第１の測光情報の取得と第２の測光情報の取得の間に手振れが生じた場合でも、人物領域のうち主要な領域Ａ６５を反射領域として特定できる。このためプリ発光による反射光の光量が多い領域を適切に特定することが可能となる。
【００３６】
これに対して、図７の例で本実施形態の反射領域特定処理を行わない場合について図１０を用いて説明する。この場合、プリ発光前とプリ発光時に取得される輝度値の差を示す概念図Ｐ７において、ライトアップ物体の一部の領域Ａ７１と人物領域Ａ７２の両方が反射領域として特定される。
【００３７】
なお、図１において照明手段が内蔵フラッシュであるとして説明したが、本発明はこれに限定されない。すなわち照明手段にはカメラに外付けされるフラッシュや、ＬＥＤ照明などの連続照明手段も含まれる。また本発光を行う照明手段とプリ発光を行うプリ発光手段とが別部材でもよい。また測光手段は撮像素子２３（図２参照）でもよい。また測光手段が測光センサの場合、撮影光学系とファインダスクリーンを通った光を測光してもよいし、測光用の光学系を通った光を測光してもよい。また測光センサは数万（数百×数百）画素のＣＣＤでもよい。
【００３８】
また、本実施形態では通常カメラのフラッシュに使用されるキセノン管は白色光であるため、第１の比ｄＲ／ｄＧの下限値ｍ１と上限値Ｍ１、第２の比ｄＢ／ｄＧの下限値ｍ２と上限値Ｍ２はすべて約１に設定されるが、本発明はこれに限定されない。すなわちプリ発光の光源の色が少し赤い場合や少し青い場合でも、その光源の色に基づいて上限値と下限値が設定される。
【００３９】
また、本実施形態では第１の比ｄＲ／ｄＧと第２の比ｄＢ／ｄＧが所定の範囲にあるかどうかにより反射領域が特定されたが、各色成分の変化量ｄＲ、ｄＧ、ｄＢが所定の範囲にあるかどうかにより反射領域が特定されてもよい。例えば赤い光を発光するＡＦ補助光によりプリ発光が行われる場合に、Ｒ成分の変化量ｄＲが所定の範囲にあるか判定されてもよい。
【００４０】
また、本実施形態では１つの反射領域が特定される場合について説明したが、複数の反射領域が特定される場合もある。この場合、反射領域における各色成分の変化量ｄＲ、ｄＧ、ｄＢの大きさ、および／または反射領域が有する面積の大きさに基づいて適正露光とする反射領域が決定され、フラッシュの照射光量が演算される。この場合、各色成分の変化量ｄＲ、ｄＧ、ｄＢが大きい反射領域が適正露光となるようにフラッシュの照射光量が演算されてもよい。また最大の面積を有する反射領域が適正露光となるようにフラッシュの照射光量が演算されてもよい。
【００４１】
また、本実施形態では被写体における全体の領域を測光する全面測光の場合について説明したが、被写体における一部の領域を測光する部分測光の場合もある。一部の領域は、例えば全体の１０％の面積を有する中央部分である。全面測光と部分測光との選択は、撮影者による操作部５２（図２参照）からの入力に基づいてもよいし、撮影レンズの焦点距離に応じて自動的に行われてもよい。部分測光の場合、焦点距離の短い広角レンズの場合には測光する領域が狭くされ、焦点距離の長い望遠レンズの場合には測光する領域が広くされてもよい。これは広角レンズの場合、空、地面、身の回りの物等、様々な対象が撮影の画角に入りやすいからである。部分測光の場合、ＣＰＵ（測光領域設定手段）３１（図２参照）は被写体における複数の領域の中から、測光センサ２１（図２参照）が測光情報を取得する領域を測光領域として設定する。設定された測光領域において光量演算部１０５（図３参照）は反射領域を特定する。
【００４２】
また、本実施形態では輝度情報の色成分がＲ／Ｇ／Ｂの組み合わせである場合について説明したが、本発明はこれに限定されず、Ｒ／Ｇ／ＢまたはＹ／Ｍ／Ｃの組み合わせのいずれかを含めばよい。
【００４３】
また、本発明が適用されるカメラは専用の測光光学系を有するとともにレンズ交換が行われないコンパクトカメラやミラーレス一眼レフカメラでもよい。すなわち本発明が適用されるカメラにおいて、撮影光学系を介した被写体像が撮像素子に結像して撮影データの取得が可能である。また測光手段が、撮影光学系とは異なる測光光学系を介した被写体像により測光情報を取得する位置に配置されている。
【符号の説明】
【００４４】
１０  カメラ
１１  フラッシュ
２１  測光センサ
２３  撮像素子
３０  信号処理部
３１  ＣＰＵ
１０１  輝度値変化量算出部
１０３  反射領域判定部
１０５  光量演算部
Ｐ１、Ｐ２、Ｐ４〜Ｐ７  概念図
Ｐ３  画像
Ａ１１、Ａ２１、Ａ３１  イルミネーション領域
Ａ４１、Ａ５１  ライトアップ物体領域
Ａ１２、Ａ２２、Ａ３２、Ａ４２、Ａ５２、Ａ７２  人物領域
Ａ６０〜Ａ６９、Ａ７１  領域
【図１】
2015099257.tif 000003
【図２】
2015099257.tif 000004
【図３】
2015099257.tif 000005
【図４】
2015099257.tif 000006
【図５】
2015099257.tif 000007
【図６】
2015099257.tif 000008
【図７】
2015099257.tif 000009
【図８】
2015099257.tif 000010
【図９】
2015099257.tif 000011
【図１０】
2015099257.tif 000012